(57)【要約】【課題】本発明は、プラズマディスプレイパネルの駆動効率を向上し得るプラズマディスプレイ装置及びその駆動方法を提供するためのものである。【解決手段】本発明は、複数の電極を含むプラズマディスプレイパネル、複数の電極を駆動するための駆動部、及び駆動部を制御して、サステイン期間で前記電極に供給されるサステインパルスの立ち上り期間（ER-Up time period）、または、立下り期間（ER-Down time period）のうち、少なくとも１つ以上を平均画像レベル（Average Picture Level : APL）によって調節するサステインパルス制御部を含む。【選択図】図６
2006309247.tif 000002
【特許請求の範囲】
【請求項１】
複数の電極を含むプラズマディスプレイパネルと、
前記複数の電極を駆動するための駆動部と、
前記駆動部を制御して、サステイン期間で前記電極に供給されるサステインパルスの立ち上り期間（ER-Up time period）または立下り期間（ER-Down time period）のうち、少なくとも１つ以上を平均画像レベル（Average Picture Level : APL）によって調節するサステインパルス制御部と、
を含むことを特徴とするプラズマディスプレイ装置。
【請求項２】
前記サステインパルス制御部は、
前記サステインパルスの立ち上り期間（ER-Up time period）または立下り期間
（ER-Down time period）のうち、少なくとも１つ以上を平均画像レベル（Average Picture Level:APL）が増加するほど増加させることを特徴とする、
請求項１に記載のプラズマディスプレイ装置。
【請求項３】
前記サステインパルス制御部は、
前記サステインパルスの立ち上り期間（ER-Up time period）または立下り期間（ER-Down time period）のうち、少なくとも１つ以上を平均画像レベル（Average Picture Level:APL）が減少するほど減少させることを特徴とする、
請求項１に記載のプラズマディスプレイ装置。
【請求項４】
前記駆動部は、スキャン駆動部及びサステイン駆動部を含むことを特徴とする請求項１に記載のプラズマディスプレイ装置。
【請求項５】
前記サステインパルス制御部は、
前記サステインパルスのサステイン電圧の維持期間を平均画像レベルに関わらず一定に維持することを特徴とする請求項１に記載のプラズマディスプレイ装置。
【請求項６】
前記サステインパルス制御部は、前記サステインパルスの立ち上り期間（ER-Up time period）を前記立下り期間（ER-Down time period）より短くすることを特徴とする、
請求項１に記載のプラズマディスプレイ装置。
【請求項７】
プラズマディスプレイパネルのサステイン期間で電極に供給されるサステインパルスの立ち上り期間（ER-Up time period）または立下り期間（ER-Down time period）のうち、少なくとも１つ以上を平均画像レベル（Average Picture Level : APL）によって調節するステップを含むことを特徴とする、プラズマディスプレイ装置の駆動方法。
【請求項８】
前記調節するステップは、
前記サステインパルスの立ち上り期間（ER-Up time period）または立下り期間（ER-Down time period）のうち、少なくとも１つ以上を平均画像レベル（Average Picture Level:APL）が増加するほど増加させることを特徴とする、
請求項７に記載のプラズマディスプレイ装置の駆動方法。
【請求項９】
前記調節するステップは、
前記サステインパルスの立ち上り期間（ER-Up time period）または立下り期間（ER-Down time period）のうち、少なくとも１つ以上を平均画像レベル（Average Picture Level:APL）が減少するほど減少させることを特徴とする、
請求項７に記載のプラズマディスプレイ装置の駆動方法。
【請求項１０】
前記調節するステップは、
スキャン駆動部及びサステイン駆動部を制御することを特徴とする請求項７に記載のプラズマディスプレイ装置の駆動方法。
【請求項１１】
前記調節するステップは、
前記サステインパルスのサステイン電圧の維持期間を平均画像レベルに関わらず一定に維持することを特徴とする請求項７に記載のプラズマディスプレイ装置の駆動方法。
【請求項１２】
前記調節するステップは、前記サステインパルスの立ち上り期間（ER-Up time period）を前記立下り期間（ER-Down time period）より短くすることを特徴とする、
請求項７に記載のプラズマディスプレイ装置の駆動方法。
【請求項１３】
プラズマディスプレイパネルの複数電極をリセット期間及びアドレス期間で駆動するステップと、
サステイン期間で前記電極に供給されるサステインパルスの立ち上り期間（ER-Up time period）または立下り期間（ER-Down time period）のうち、少なくとも１つ以上をサステインパルスの個数により調節するステップと、
を含むことを特徴とするプラズマディスプレイ装置の駆動方法。
【請求項１４】
前記調節するステップは、
前記サステインパルスの立ち上り期間（ER-Up time period）または立下り期間（ER-Down time period）のうち、少なくとも１つ以上をサステインパルスの個数が減少するほど増加させることを特徴とする、
請求項１３に記載のプラズマディスプレイ装置の駆動方法。
【請求項１５】
前記調節するステップは、
前記サステインパルスの立ち上り期間（ER-Up time period）または立下り期間
（ER-Down time period）のうち、少なくとも１つ以上をサステインパルスの個数が増加するほど減少させることを特徴とする、
請求項１３に記載のプラズマディスプレイ装置の駆動方法。
【請求項１６】
前記サステインパルスの個数は、
サブフィールドまたはフレームに印加されるサステインパルスの個数であることを特徴とする請求項１３に記載のプラズマディスプレイ装置の駆動方法。
【請求項１７】
複数の電極を含むプラズマディスプレイパネルと、
前記複数の電極を駆動するための駆動部と、
前記駆動部を制御して、サステイン期間で前記電極に供給されるサステインパルスの立ち上り期間（ER-Up time period）または立下り期間（ER-Down time period）のうち、少なくとも１つ以上を平均画像レベル（Average Picture Level : APL）により調節し、前記サステインパルスの立ち上り期間（ER-Up time period）を前記立下り期間（ER-Down time period）より短くするサステインパルス制御部と、
を含むことを特徴とするプラズマディスプレイ装置。
【請求項１８】
前記サステインパルス制御部は、
前記サステインパルスの立ち上り期間（ER-Up time period）または立下り期間
（ER-Down time period）のうち、少なくとも１つ以上を平均画像レベル（Average Picture Level:APL）が増加するほど増加させることを特徴とする、
請求項１７に記載のプラズマディスプレイ装置。
【請求項１９】
前記サステインパルス制御部は、
前記サステインパルスの立ち上り期間（ER-Up time period）または立下り期間（ER-Down time period）のうち、少なくとも１つ以上を平均画像レベル（Average Picture Level:APL）が減少するほど減少させることを特徴とする請求項１７に記載のプラズマディスプレイ装置。
【請求項２０】
前記サステインパルス制御部は、前記サステインパルスのサステイン電圧の維持期間を平均画像レベルに関わらず一定に維持することを特徴とする、請求項１７に記載のプラズマディスプレイ装置。
【発明の詳細な説明】
【技術分野】
【０００１】
本発明は、プラズマディスプレイパネル（Plasma Display Panel）に関し、より詳しくは、プラズマディスプレイパネルの駆動効率を上げるようにするプラズマディスプレイ装置及びその駆動方法に関する。
【背景技術】
【０００２】
一般に、プラズマディスプレイパネルは、前面パネルと後面パネルとの間に形成された隔壁が１つの単位セルをなすものであって、各セル内には、ネオン（Ｎｅ）、ヘリウム（Ｈｅ）、または、ネオン及びヘリウムの混合気体（Ｎｅ+Ｈｅ）のような主放電気体と少量のキセノンを含有する不活性ガスが充填されている。
【０００３】
高周波電圧により放電される際、不活性ガスは真空紫外線（Vacuum Ultraviolet rays）を発生し、隔壁間に形成された蛍光体を発光させて画像が具現される。このようなプラズマディスプレイパネルは軽量薄型の構成が可能であるので、次世代の表示装置として脚光を浴びている。
【０００４】
図１は、従来のプラズマディスプレイパネルの構造を示す図である。
【０００５】
図１に示すように、プラズマディスプレイパネルは、スキャン電極１０２とサステイン電極１０３が対を成して形成された複数の維持電極対が配列された前面パネル１００及び前述した複数の維持電極対と交差するように複数のアドレス電極１１３が配列された後面パネル１１０が一定距離を置いて平行するように結合される。
【０００６】
前面パネル１００は１つの放電セルで相互放電させ、セルの発光を維持するためのスキャン電極１０２及びサステイン電極１０３を含む。一般的に、スキャン電極１０２及びサステイン電極１０３は、透明なＩＴＯ物質で形成された透明電極（ａ）と金属材質で製作されたバス電極（ｂ）で構成されている。
【０００７】
スキャン電極１０２及びサステイン電極１０３は放電電流を制限し、電極対間を絶縁させる１つ以上の上部誘電体層１０４により覆われ、上部誘電体層１０４の上面には放電条件を容易にするために酸化マグネシウム（ＭｇＯ）を蒸着した保護層１０５が形成される。
【０００８】
後面パネル１１０は、複数個の放電セルを形成させるためのストライプタイプ（または、ウェルタイプ）の隔壁１１２が平行を維持して配列される。また、アドレス放電を遂行して真空紫外線を発生させる多数のアドレス電極１１３が隔壁１１２に対して平行するように配置される。
【０００９】
後面パネル１１０の上側面には、アドレス放電の際、画像表示のための可視光線を放出するＲ、Ｇ、Ｂ蛍光体１１４が塗布される。アドレス電極１１３と蛍光体１１４との間には、アドレス電極１１３を保護するための下部誘電体層１１５が形成される。
【００１０】
図２は、従来のプラズマディスプレイパネルの画像階調を具現する方法を示す図である。
【００１１】
図２に示すように、従来のプラズマディスプレイパネルの画像階調（Gray Level）表現方法は、１フレームを発光回数が異なる幾つのサブフィールドに分けて、各サブフィールドは更に、全てのセルを初期化させるためのリセット期間（RPD）、放電されるセルを選択するためのアドレス期間（ＡＰＤ）及び放電回数によって階調を具現するサステイン期間（ＳＰＤ）に分けられる。
【００１２】
例えば、２５６階調で画像を表示しようとする場合、１／６０秒に該当するフレーム期間（１６．６７ｍｓ）は８個のサブフィールド（ＳＦ１乃至ＳＦ８）に分けられ、８個のサブフィールド（ＳＦ１乃至ＳＦ８）の各々はリセット期間、アドレス期間及びサステイン期間に更に分けられることになる。
【００１３】
各サブフィールドのリセット期間及びアドレス期間は、各サブフィールド毎に同一である。放電されるセルを選択するためのアドレス放電は、アドレス電極とスキャン電極である透明電極間の電圧差により起こる。
【００１４】
サステイン期間は、各サブフィールドで２ｎ（但し、ｎ=０、１、２、３、４、５、６、７）の割合で増加する。このように、各サブフィールドでサステイン期間が変わることになるので、各サブフィールドのサステイン期間、即ち、サステイン放電回数を調節して画像の階調を表現することになる。
【００１５】
図３は、従来のプラズマディスプレイパネルの駆動方法による駆動波形を示す図である。
【００１６】
図３に示すように、プラズマディスプレイパネルは、リセット期間、アドレス期間、サステイン期間及び消去期間に分けられて駆動される。
【００１７】
リセット期間において、セットアップ期間には、全てのスキャン電極に立上りランプ波形（Ramp-up）が同時に印加される。この立上りランプ波形により全画面の放電セル内には弱い暗放電（Dark Discharge）が起こる。このセットアップ放電によりアドレス電極とサステイン電極上には正極性壁電荷が蓄積されることになり、スキャン電極上には負極性の壁電荷が蓄積されることになる。
【００１８】
セットダウン期間には、セットアップ期間で立上りランプ波形が供給された後、立上りランプ波形のピーク電圧より低い正極性電圧で落ち始めてグラウンド（ＧＮＤ）レベル電圧以下の特定の電圧レベルまで落ちる立下りランプ波形（Ramp-down）がセル内に微弱な消去放電を起こすことによって、スキャン電極に過度に形成された壁電荷を十分に消去させることになる。このセットダウン放電によりアドレス放電が安定するように起こることができる程度の壁電荷がセル内に均一に残留する。
【００１９】
アドレス期間には、負極性スキャンパルスがスキャン電極に順次に印加されると共に、 スキャンパルスに同期されてアドレス電極に正極性のデータパルスが印加される。このスキャンパルスとデータパルスとの電圧差とリセット期間に生成された壁電圧とが加えられながら、データパルスが印加される放電セル内にはアドレス放電が生じる。
【００２０】
アドレス放電により選択されたセル内には、サステイン電圧（Ｖｓ）が印加される際、放電が起こることができるようにする程度の壁電荷が形成される。サステイン電極には、セットダウン期間とアドレス期間の間にスキャン電極との電圧差を縮めてスキャン電極との誤放電が起こらないように正極性電圧（Ｖｚ）が供給される。
【００２１】
サステイン期間にはスキャン電極とサステイン電極に交互にサステインパルス（Ｓｕｓ）が印加される。アドレス放電により選択されたセルは、セル内の壁電圧とサステインパルスとが加えられながら、毎サステインパルスが印加される毎にスキャン電極とサステイン電極との間にサステイン放電が起こることになる。
【００２２】
サステイン放電が完了した後、消去期間では、パルス幅と電圧レベルの小さい消去ランプ波形（Ramp-ers）の電圧がサステイン電極に供給されて全画面のセル内に残留する壁電荷を消去させることになる。
【００２３】
図４ａ乃至図４ｂは、図３の駆動波形においてサステイン期間に供給されるサステインパルスを説明するための図面である。
【００２４】
図４ａを考察すれば、図３の駆動波形においてサステイン期間でスキャン電極（Ｙ）とサステイン電極（Ｚ）に交互にサステインパルスが供給される。ここで、前述したサステインパルスは、電圧立上りの際、即ちＥＲ−Ｕｐ時に所定の傾きを有する状態で電圧が立上る。また、サステインパルスは電圧の下降の際、即ちＥＲ−Ｄｏｗｎ時に所定の傾きを有する状態で電圧が下降する。このような従来のサステインパルスは、駆動回路の素子特性などの要因により屈曲している形態で振幅し、立上りまたは立下りする。
【００２５】
図４ｂを考察すれば、従来のサステインパルスは、立上り及び立下りの際、所定の傾きを有する状態で立上り及び立下りし、また電圧が振幅する形態を有する。このように、サステインパルスの立上り及び立下りの際、所定の傾きを有する状態で立上り及び立下りする時間は、キャパシタンス（Capacitance）とインダクタンス（Inductance）によるＬＣ共振により決まるが、これを数式で考察すれば次の数式１の通りである。
＜数式１＞
2006309247.tif 000003
【００２６】
即ち、パネルのキャパシタンスとインダクタンスのうち、少なくともいずれか１つの値が増加すれば、サステインパルスの電圧立上り時間及び電圧立上り時間が増加するのである。
【００２７】
一方、パネルでは、オン（On）される放電セルの個数が増加するほどパネルのキャパシタンス値が増加し、オンされる放電セルの個数が減少するほどパネルのキャパシタンス値が減少する。これによって、パネルでオンされる放電セルの個数によって、サステイン期間で供給されるサステインパルスの電圧立上り時間及び電圧立下り時間が決まる。
【００２８】
ここで、オンされる放電セルの個数が増加することは、パネルのロード（Load）値が増加するものであるので、パネルのロード値によってサステインパルスの電圧立上り時間及び電圧立下り時間が決まるのである。
【００２９】
図５は、従来の駆動波形においてサステイン期間に供給されるサステインパルスの電圧立上り時間及び電圧立下り時間を説明するための図である。
【００３０】
図５を考察すれば、従来の駆動波形においてサステイン期間で供給されるサステインパルスの電圧立上り及び電圧立下り時間は、パネルのロード値により決まる。ここで、このようなサステインパルスの電圧立上り時間及び電圧立下り時間は、パネルのロード値によって変動するのに対して、駆動装置から提供するER-Up time period及びER-Down time period（サステインパルスの立ち上り及び立下りに割り当てられる時間）、即ちER-Up及びER-Downするためのスイッチングタイムは限定されているので、サステインパルスの電圧立上り及び電圧立下り時に波形歪みが発生する。
【００３１】
例えば、図５のように、プラズマディスプレイパネルのロードが平均ロード、即ちプラズマディスプレイパネルの放電セルのうち、略半分の放電セルがオンされる場合に、パネルのロードは平均ロードとなり、この時のサステインパルスは図５の平均ロードの形態を有する。
【００３２】
このような平均ロードの場合は、駆動装置から提供するER-Up time period及びER-Down time periodが、ロード値に従うサステインパルスの電圧立上り時間及び電圧立下り時間と各々一致することになる場合である。ここで、平均ロードの場合にはＬＣ共振時間とER-Up time period、または、ER-Down time periodと一致することになってプラズマディスプレイパネルの効率が相対的に高い場合である。
【００３３】
一方、プラズマディスプレイパネルのロードが最低ロード、即ちプラズマディスプレイパネルの放電セルのうち、大部分の放電セルがオフ（Off）される場合にパネルのロードは最低ロードとなり、この時のサステインパルスは、図５の最低ロードの形態を有する。
【００３４】
このような最低ロードの場合は、駆動装置から提供するER-Up time period及びER-Down time periodが、ロード値によるサステインパルスの電圧立上り時間及び電圧立下り時間より長くなる場合である。ここで、最低ロードの場合には、ER-Up time period、または、ER-Down time periodがＬＣ共振時間より長くなって、サステインパルスが揺れることになる。これによってプラズマディスプレイパネルの放電が不安定になって駆動効率が減少する問題がある。
【００３５】
また、プラズマディスプレイパネルのロードが最高ロード、即ちプラズマディスプレイパネルの放電セルのうち、大部分の放電セルがオンされる場合に、パネルのロードは最高ロードとなり、この時のサステインパルスは図５の最高ロードの形態を有する。
【００３６】
このような最高ロードの場合は、駆動装置から提供するER-Up time period及びER-Down time periodが、ロード値によるサステインパルスの電圧立上り時間及び電圧立下り時間より短い場合である。ここで、最高ロードの場合には、ER-Up time period、または、ER-Down time periodがＬＣ共振時間より短くなって、サステインパルスがＬＣ共振で最高点まで上昇する前に電圧立上りが、または、電圧立下りが終わることになる。これによって、駆動装置でエネルギー回収効率が落ちる等の原因によりプラズマディスプレイパネルの駆動効率が減少する問題がある。
【００３７】
このように、従来の駆動波形では、サステイン期間に供給されるサステインパルスの電圧立上り時間及び電圧立下り時間が固定されているので、パネルのロード値の変動によってプラズマディスプレイパネルの駆動効率が減少する問題がある。
【発明の開示】
【発明が解決しようとする課題】
【００３８】
本発明は、プラズマディスプレイパネルの駆動効率を向上し得るプラズマディスプレイ装置及びその駆動方法を提供するためのものである。
【課題を解決するための手段】
【００３９】
前記の目的を達成するための本発明の一実施形態に係るプラズマディスプレイ装置は、複数の電極を含むプラズマディスプレイパネル、前記複数の電極を駆動するための駆動部、及び前記駆動部を制御して、サステイン期間で前記電極に供給されるサステインパルスの立ち上がり期間（ER-Up time period）、または、立下り期間（ER-Down time period）のうち、少なくとも１つ以上を平均画像レベル（Average Picture Level : APL）によって調節するサステインパルス制御部を含む。
ここで、立ち上り期間（ER-Up time period）は、サステインパルスの立ち上りに割り当てられる期間であり、エネルギー回収回路とスキャン電極又はサステイン電極とが接続され、エネルギー回収回路からスキャン電極又はサステイン電極にエネルギーが供給される期間である。
立下り期間（ER-Down time period）は、サステインパルスの立下りに割り当てられる期間であり、エネルギー回収回路とスキャン電極又はサステイン電極とが接続され、スキャン電極又はサステイン電極からエネルギー回収回路にエネルギーが回収される期間である。
【００４０】
本発明の一実施形態に係るプラズマディスプレイ装置の駆動方法は、プラズマディスプレイパネルの複数電極をリセット期間及びアドレス期間で駆動するステップ、及びサステイン期間で前記電極に供給されるサステインパルスの立ち上り期間（ER-Up time period）、または、立下り期間（ER-Down time period）のうち、少なくとも１つ以上を平均画像レベル（Average Picture Level : APL）により調節するステップを含む。
【００４１】
本発明の他の実施形態に係るプラズマディスプレイ装置の駆動方法は、プラズマディスプレイパネルの複数電極をリセット期間及びアドレス期間で駆動するステップ及びサステイン期間で前記電極に供給されるサステインパルスの立ち上り期間（ER-Up time period）、または、立下り期間（ER-Down time period）のうち、少なくとも１つ以上をサステインパルスの個数により調節するステップを含む。
【００４２】
本発明の他の実施形態に係るプラズマディスプレイ装置は、複数の電極を含むプラズマディスプレイパネル、前記複数の電極を駆動するための駆動部、及び前記駆動部を制御して、サステイン期間で前記電極に供給されるサステインパルスの立ち上り期間（ER-Up time period）、または、立下り期間（ER-Down time period）のうち、少なくとも１つ以上を平均画像レベル（Average Picture Level : APL）により調節し、前記サステインパルスの立ち上り期間（ER-Up time period）を前記立下り期間（ER-Down time period）より短くするサステインパルス制御部を含む。
【発明の効果】
【００４３】
本発明によれば、平均画像レベルによって立ち上がり期間（ER-Up time period）、または、立下り期間（ER-Down time period）のうち、少なくとも１つ以上を調節することによって、プラズマディスプレイパネルの効率を改善する効果が得られる。
【発明を実施するための最良の形態】
【００４４】
以下、添付の図面を参照しつつ本発明のプラズマディスプレイ装置及びその駆動方法の実施形態を詳細に説明する。
【００４５】
図６は、本発明の一実施形態に係るプラズマディスプレイ装置の構造を説明するための図である。
【００４６】
図６に示すように、本発明に係るプラズマディスプレイ装置は、プラズマディスプレイパネル６００、サステインパルス制御部６０１、データ駆動部６０２、スキャン駆動部６０３、サステイン駆動部６０４、及び駆動電圧発生部６０５を含む。
【００４７】
プラズマディスプレイパネル６００は、スキャン電極（Ｙ１乃至Ｙｎ）及びサステイン電極（Ｚ）と、スキャン電極（Ｙ１乃至Ｙｎ）及びサステイン電極（Ｚ）と交差する複数のアドレス電極（Ｘ１乃至Ｘｍ）を含み、リセット期間、アドレス期間及びサステイン期間に、アドレス電極（Ｘ１乃至Ｘｍ）、スキャン電極（Ｙ１乃至Ｙｎ）及びサステイン電極（Ｚ）に駆動パルスが印加される少なくとも１つ以上のサブフィールドの組合によりフレームからなる画像を表現する。
【００４８】
データ駆動部６０２は、プラズマディスプレイパネル６００に形成されたアドレス電極（Ｘ１乃至Ｘｍ）にデータを供給する。スキャン駆動部６０３は、スキャン電極（Ｙ１乃至Ｙｎ）を駆動する。サステイン駆動部６０４は、共通電極であるサステイン電極（Ｚ）を駆動する。
【００４９】
サステインパルス制御部６０１は、プラズマディスプレイパネル６００の駆動の際、スキャン駆動部６０３とサステイン駆動部６０４を制御する。駆動電圧発生部６０５は、駆動部６０２、６０３、６０４の各々に必要な駆動電圧を供給する。
【００５０】
プラズマディスプレイパネル６００では、前面パネル（図示していない）と後面パネル（図示していない）が一定の間隔を置いて合着され、多数の電極、例えば、スキャン電極（Ｙ１乃至Ｙｎ）及びサステイン電極（Ｚ）が対をなして形成され、またスキャン電極（Ｙ１乃至Ｙｎ）及びサステイン電極（Ｚ）と交差するようにアドレス電極（Ｘ１乃至Ｘｍ）が形成される。
【００５１】
データ駆動部６０２には、図示しない逆ガンマ補正回路、誤差拡散回路などにより逆ガンマ補正及び誤差拡散された後、サブフィールドマッピング回路により各サブフィールドにマッピングされたデータが供給される。データ駆動部６０２は、タイミングコントロール部（図示していない）からのデータタイミング制御信号（ＣＴＲＸ）に応答してデータをサンプリングし、ラッチした後、そのデータをアドレス電極（Ｘ１乃至Ｘｍ）に供給する。
【００５２】
スキャン駆動部６０３は、リセット期間の間、立上りランプ波形（Ramp-up）と立下りランプ波形（Ramp-down）をスキャン電極（Ｙ１乃至Ｙｎ）に供給する。また、スキャン駆動部６０３は、アドレス期間の間、スキャン電圧（−Ｖｙ）のスキャンパルス（Ｓｐ）をスキャン電極（Ｙ１乃至Ｙｎ）に順次に供給し、サステイン期間間には前述したサステインパルス制御部６０１の制御によってサステインパルス（ＳＵＳ）をスキャン電極（Ｙ１乃至Ｙｎ）に供給する。
【００５３】
サステイン駆動部６０４は、立下りランプ波形（Ramp-down）が発生する期間とアドレス期間の間、サステイン電圧（Ｖｓ）のバイアス電圧をサステイン電極（Ｚ）に供給し、サステインパルス制御部６０１の制御下に、サステイン期間の間、スキャン駆動部６０３と交互に動作してサステインパルス（ＳＵＳ）をサステイン電極（Ｚ）に供給する。
【００５４】
サステインパルス制御部６０１は、サステイン期間でスキャン駆動部６０３及びサステイン駆動部６０４の動作タイミングと同期化を制御するためのタイミング制御信号（ＣＴＲＹ、ＣＴＲＺ）を発生し、ＣＴＲＹのタイミング制御信号をスキャン駆動部６０３に供給し、ＣＴＲＺのタイミング制御信号をサステイン駆動部６０４に供給することによって、スキャン駆動部６０３及びサステイン駆動部６０４を制御する。
【００５５】
特に、サステインパルス制御部６０１は、サステイン期間でプラズマディスプレイパネル６００のスキャン電極及びサステイン電極に供給されるサステインパルスの立ち上り期間（ER-Up time period）、または、立下り期間（ER-Down time period）のうち、少なくとも１つ以上を平均画像レベル（Average Picture Level:APL）によって調節する。
立ち上り期間（ER-Up time period）は、サステインパルスの立ち上りに割り当てられる期間であり、エネルギー回収回路とスキャン電極又はサステイン電極とが接続され、エネルギー回収回路からスキャン電極又はサステイン電極にエネルギーが供給される期間である。
立下り期間（ER-Down time period）は、サステインパルスの立下りに割り当てられる期間であり、エネルギー回収回路とスキャン電極又はサステイン電極とが接続され、スキャン電極又はサステイン電極からエネルギー回収回路にエネルギーが回収される期間である。
立ち上り期間と立下り期間との間には維持期間があり、維持期間では、サステインパルスがサステイン電圧源に接続され、サステイン電圧（Ｖｓ）に維持される。
即ち、サステインパルス制御部６０１は、スキャン駆動部６０３及びサステイン駆動部６０４から供給するサステインパルスに、立ち上り期間（ER-Up time period）、維持期間、立下り期間（ER-Down time period）を設定する。
実際にスキャン電極またはサステイン電極に印加されるサステインパルスの形状は、パネルのロード及び平均画像レベルに応じて変化し、オンセルの数に応じて変化するパネルのキャパシタ、エネルギー回収回路のソースキャパシタ及びエネルギー回収回路のインダクタによるＬＣ共振によって決まる。実際にサステインパルスが立ち上がる時間が「立ち上り時間」であり、実際にサステインパルスが立ち下がる時間が「立下り時間」である。
【００５６】
また、サステインパルス制御部６０１は、サステインパルスの立ち上り期間（ER-Up time period）を立下り期間（ER-Down time period）より短くすることができる。立ち上り期間（ER-Up time period）で放電がなされるので、立ち上り期間（ER-Up time period）を立下り期間（ER-Down time period）より短くすることが効率的である。
【００５７】
一方、前述したデータ制御信号（ＣＴＲＸ）には、データをサンプリングするためのサンプリングクロック、ラッチ制御信号、エネルギー回収回路と駆動スイッチ素子のオン／オフタイムを制御するためのスイッチ制御信号が含まれる。スキャン制御信号（ＣＴＲＹ）には、スキャン駆動部６０３内のエネルギー回収回路と駆動スイッチ素子のオン／オフタイムを制御するためのスイッチ制御信号が含まれ、サステイン制御信号（ＣＴＲＺ）には、サステイン駆動部６０４内のエネルギー回収回路と駆動スイッチ素子のオン／オフタイムを制御するためのスイッチ制御信号が含まれる。
【００５８】
駆動電圧発生部６０５は、セットアップ電圧（Vsetup）、スキャン共通電圧（Vscan-com）、スキャン電圧（−Ｖｙ）、サステイン電圧（Ｖｓ）、データ電圧（Ｖｄ）などを発生する。このような駆動電圧は、放電ガスの組成や放電セルの構造によって変わることができる。
【００５９】
このような構造の本発明のプラズマディスプレイ装置の機能は、以後の駆動方法の説明でより明確になるはずである。このような構造の本発明のプラズマディスプレイ装置により遂行される駆動方法の好ましい実施形態を考察すれば次の通りである。
【００６０】
本発明のプラズマディスプレイパネルの駆動方法を説明する前に、まず、前述した平均画像レベル（Average Picture Level;APL）を詳細に説明して、本発明のプラズマディスプレイパネルの駆動方法の理解を助けとする。
【００６１】
図７は、平均画像レベル（APL:Average Picture Level）に対して説明するための図である。
【００６２】
図７に示すように、平均画像レベル（ＡＰＬ）の値が増加するほどサステインパルスの個数は減少し、平均画像レベル（ＡＰＬ）の値が減少するほどサステインパルスの個数は増加する。サステインパルスの個数はサブフィールドまたはフレームに印加されるサステインパルスの個数を意味する。
【００６３】
例えば、プラズマディスプレイパネルの画面上で相対的に小さい面積の部分のみに映像が表示される場合、即ち、ＡＰＬレベルが相対的に小さな場合、映像表示に寄与する放電セルの個数が相対的に少ないので、映像表示に寄与する放電セルの各々に相対的に多い個数のサステインパルスを印加することによって、プラズマディスプレイパネルの全体電力消耗の量を低減させる。
【００６４】
また、映像が表示される部分の輝度を高めることによって、プラズマディスプレイパネルの全体の画質を改善するものである。このように、平均画像レベルが相対的に小さい場合は、プラズマディスプレイパネル上の全体でオンされる放電セルの個数が少ない場合であって、ラインロード（Line Load）値が相対的に小さな場合である。
【００６５】
これとは反対に、プラズマディスプレイパネルの画面上で相対的に大きい面積の部分のみに映像が表示される場合、即ち、ＡＰＬレベルが相対的に大きい場合、映像表示に寄与する放電セルの個数が相対的に多いので、映像表示に寄与する放電セルの各々に相対的に少ない個数のサステインパルスを印加することによって、プラズマディスプレイパネルの全体電力消耗の量を低減するものである。
【００６６】
このように、平均画像レベルが相対的に高い場合は、プラズマディスプレイパネル上の全体でオンされる放電セルの個数が多い場合であって、ラインロード（Line Load）値が相対的に大きい場合である。
【００６７】
このような方法で、プラズマディスプレイパネルの画面上で相対的に広い面積の部分で映像が表示される場合、各々の放電セルに供給されるサステインパルスの個数を減少させて電力消耗を減らし、またプラズマディスプレイパネルの画面上で相対的に小さい面積の部分で映像が表示される場合、各々の放電セルに供給されるサステインパルスの個数を増加させて全体輝度の減少を補償することによって、全体プラズマディスプレイパネルで具現される輝度の減少を抑制しながらも電力消耗を減らすものである。
【００６８】
図８は、本発明のプラズマディスプレイ装置の駆動方法の一実施形態を説明するための図である。即ち、立ち上り期間（ER-Up time period）と立下り期間（ER-Down time period）の制御を説明する図である。
【００６９】
図９は、図８の駆動波形で平均画像レベルに従うサステインパルスのＬＣ共振形態を説明するための図である。
【００７０】
図８を考察すれば、本発明の駆動波形において、平均画像レベル、即ちパネルのロード値によって立ち上り期間（ER-Up time period）と立下り期間（ER-Down time period）のうち、少なくとも１つ以上を調節する。平均画像レベル値によって変わるサステイン期間で供給されるサステインパルスの電圧立上り時間及び電圧立下り時間によって、駆動装置から提供するサステインパルスに割り当てる立ち上り期間（ER-Up time period）及び立下り期間（ER-Down time period）、即ち立ち上り（ER-Up）及び立下り（ER-Down）するためのスイッチングタイムを調節するものである。
【００７１】
例えば、図８のように、プラズマディスプレイパネルのロードが平均ロード、即ちプラズマディスプレイパネルの放電セルのうち、略半分の放電セルがオンされて平均画像レベルが平均レベルである場合にパネルのロードは平均ロードとなり、この時のサステインパルスの立ち上り期間（ER-Up time period）と立下り期間（ER-Down time period）は、図８の平均ロードの形態に制御される。
【００７２】
平均ロードの場合、立ち上り期間（ER-Up time period）及び立下り期間（ER-Down time period）が各々ｔ２である。ここで、平均ロードの場合には、ＬＣ共振時間と立ち上り期間（ER-Up time period）、または、立下り期間（ER-Down time period）とが一致して、図９の平均ロードのようにサステインパルスは、立ち上り期間（ER-Up time period）及び立下り期間（ER-Down time period）の間、波形の歪み無しに立上り及び立下りする。このような場合ではプラズマディスプレイパネルの効率が相対的に高い。
【００７３】
また、プラズマディスプレイパネルのロードが最低ロード、即ちプラズマディスプレイパネルの放電セルのうち、大部分の放電セルがオフ（Off）されて平均画像レベルが最低レベルである場合に、パネルのロードは最低ロードとなり、この時のサステインパルスの立ち上り期間（ER-Up time period）と立下り期間（ER-Down time period）は、図８の最低ロードの形態に制御される。
【００７４】
最低ロードの場合には、駆動装置で提供する立ち上り期間（ER-Up time period）及び立下り期間（ER-Down time period）が各々ｔ３（＜ｔ１）であって、このような最低ロードの場合も前述した平均ロードと同様に、ＬＣ共振時間と立ち上り期間（ER-Up time period）、または、立ち上り期間（ER-Down time period）と一致して、図９の最低ロードのようにサステインパルスは立ち上り期間（ER-Up time period）及び立下り期間（ER-Down time period）の間の波形の歪み無しに立上り及び立下りする。このような場合でもプラズマディスプレイパネルの効率が相対的に高い。
【００７５】
言い換えると、最低ロードの場合は平均画像レベルが低い、即ちパネルのロード値が相対的に小さい場合である。これによって、前述した数式１により計算されるサステインパルスの電圧立上り時間及び電圧立下り時間が相対的に短い。結局、平均画像レベルが低くて、サステインパルスの電圧立上り時間及び電圧立下り時間が短い場合には立ち上り期間（ER-Up time period）及び立下り期間（ER-Down time period）を小さくしてサステインパルスが揺れる現状を防止することによって、放電を安定させて駆動効率を上げるものである。
【００７６】
また、プラズマディスプレイパネルのロードが最高ロード、即ちプラズマディスプレイパネルの放電セルのうち、大部分の放電セルがオンされて平均画像レベルが最高レベルである場合に、パネルのロードは最高ロードとなり、この時のサステインパルスの立ち上り期間（ER-Up time period）と立下り期間（ER-Down time period）は、図８の最高ロードの形態に制御される。
【００７７】
最高ロードの場合には、駆動装置から提供するER-Up time period及びER-Down time periodが各々ｔ１（＞ｔ２）であって、このような最高ロードの場合も、前述した平均ロードと同様にＬＣ共振時間と立ち上り期間（ER-Up time period）、または、立下り期間（ER-Down time period）とが一致して、図９の最高ロードのようにサステインパルスは、立ち上り期間（ER-Up time period）及び立下り期間（ER-Down time period）の間、波形の歪み無しに立上り及び立下りする。このような場合でもプラズマディスプレイパネルの効率が相対的に高い。
【００７８】
言い換えると、ここで、最高ロードの場合は、平均画像レベルが高い、即ちパネルのロード値が相対的に大きい場合である。これによって、前述した数式１により計算されるサステインパルスの電圧立上り時間及び電圧立下り時間が相対的に長い。結局、平均画像レベルが高くてサステインパルスの電圧立上り時間及び電圧立下り時間が長い場合には、立ち上り期間（ER-Up time period）及び立下り期間（ER-Down time period）を大きくして図５の最高ロードでのようにサステインパルスがＬＣ共振で最高点まで立上りする前に電圧立上りが、または、電圧立下りが終わることになる現状を防止する。これによって、駆動装置でエネルギー回収効率の減少を抑制し、プラズマディスプレイパネルの駆動効率を上げる。
【００７９】
以上、本発明のプラズマディスプレイパネルの駆動方法の第１実施形態では、立ち上り期間（ER-Up time period）及び立下り期間（ER-Down time period）を全て平均画像レベルによって調節したが、これとは異なり、立ち上り期間（ER-Up time period）、または、立下り期間（ER-Down time period）のうち、いずれか１つのみを調節することも可能である。これを考察すれば、次の図１０ａ乃至図１０ｂのようである。
【００８０】
図１０ａ乃至図１０ｂは、本発明の駆動波形において立ち上り期間（ER-Up time period）及び立下り期間（ER-Down time period）のうち、いずれか１つのみを平均画像レベルによって調節する方法を説明するための図である。
【００８１】
まず、図１０ａは、立ち上り期間（ER-Up time period）及び立下り期間（ER-Down time period）の中で、前述した立ち上り期間（ER-Up time period）のみを調節する方法を表す。即ち、平均画像レベル、即ちパネルのロード値によって変わるサステイン期間で供給されるサステインパルスの電圧立上り時間によって、駆動装置から提供するサステインパルスの立ち上り期間（ER-Up time period）、即ちサステインパルスの立ち上り（ER-Up）するためのスイッチングタイムを調節するものである。
【００８２】
例えば、図１０ａのようにプラズマディスプレイパネルのロードが平均ロードである場合、サステインパルスは図１０ａの平均ロードの形態に制御される。このような平均ロードの場合に、立ち上り期間（ER-Up time period）及び立下り期間（ER-Down time period）が各々ｔ２である。
【００８３】
また、プラズマディスプレイパネルのロードが最低ロードである場合、サステインパルスは、図１０ａの最低ロードの形態に制御される。このような最低ロードの場合には、駆動装置から提供する立ち上り期間（ER-Up time period）をｔ３（＜ｔ２）に制御し、前述した平均ロードに比べて減少させ、立下り期間（ER-Down time period）は前述した平均ロードと同一なｔ２とする。
【００８４】
また、プラズマディスプレイパネルのロードが最高ロードである場合、サステインパルスは、図１０ａの最高ロードの形態を有する。このような最高ロードの場合には、駆動装置から提供する立ち上り期間（ER-Up time period）をｔ１（＞ｔ２）に制御し、前述した平均ロードの場合に比べて増加させ、立下り期間（ER-Down time period）は前述した平均ロードと同一なｔ２とする。
【００８５】
このように、立ち上り期間（ER-Up time period）及び立下り期間（ER-Down time period）のうち、１つのみを平均画像レベルによって調節することによって、プラズマディスプレイパネルの駆動時の効率を上げながらも、サステインパルスの制御が前述した図８の場合より容易であるという効果が得られる。
【００８６】
図１０ｂは、立ち上り期間（ER-Up time period）及び立下り期間（ER-Down time period）の中で、前述した立下り期間（ER-Down time period）のみを調節する方法を表す。即ち、平均画像レベル、即ちパネルのロード値によって変わるサステイン期間で供給されるサステインパルスの電圧立下り時間によって、駆動装置から提供するサステインパルスの立下り期間（ER-Down time period）、即ち立下り（ER-Down）するためのスイッチングタイムを調節するものである。
【００８７】
このような図１０ｂの駆動波形は、図１０ａの説明において立ち上り期間を立下り期間として説明することができ、前述した図１０ａと実質的に同一であるので重複する説明は省略する。
【００８８】
以上の説明では、平均画像レベルによって、立ち上り期間（ER-Up time period）、または、立下り期間（ER-Down time period）のうち、１つ以上を調節することによって、サステインパルスの幅、即ちサステイン電圧（Ｖｓ）の維持期間の長さが可変する場合のみを説明した。
【００８９】
図１１は、本発明の駆動波形で、立ち上り期間（ER-Up time period）及び立下り期間（ER-Down time period）を平均画像レベルによって調節しながらも、サステインパルスのサステイン電圧の維持期間の長さを一定に維持する方法を説明するための図である。
【００９０】
図１１に示すように、プラズマディスプレイパネルのロードが平均ロードの場合、またプラズマディスプレイパネルのロードが最低ロードの場合及びプラズマディスプレイパネルのロードが最高ロードの場合、各々立ち上り期間（ER-Up time period）及び立下り期間（ER-Down time period）は、各々相異しているが、サステイン電圧（Ｖｓ）の維持期間の長さはＷと一定である。即ち、プラズマディスプレイパネルのロードまたは平均画像レベルに応じて、サステインパルスの立ち上り期間及び立下り期間を図８及び図１０のように制御すると共に、サステインパルスをサステイン電圧（Ｖｓ）に維持する期間（維持期間）がロードまたは平均画像レベルに関わらず一定になるように制御する。
【００９１】
このように、平均画像レベルの変化に関係なしにサステインパルスのサステイン電圧（Ｖｓ）の維持期間の長さを一定に維持することによって、各々の場合に１つのサステインパルスにより発生する光の量を一定に維持できることになる。結局、放電の制御がより容易になる。
【００９２】
図１１は、立ち上り期間（ER-Up time period）及び立下り期間（ER-Down time period）を平均画像レベルによって調節する場合を説明したが、立ち上り期間（ER-Up time period）、または、立下り期間（ER-Down time period）のうち、少なくともいずれか１つを平均画像レベルによって調節しながら、サステインパルスのサステイン電圧の維持期間の長さを一定に維持する方法も可能である。
【００９３】
また、サステインパルスの立ち上り期間（ ER-Up time period ）を立下り期間（ER-Down time period）より短くすることができる。立ち上り期間（ER-Up time period）で放電がなされるので、立ち上り期間（ER-Up time period）を立下り期間（ER-Down time period）より短くすることが効率的である。
【００９４】
以上のように、本発明に係るプラズマディスプレイ装置を例示した図面を参照して説明したが、本発明は明細書に開示された実施形態と図面により限るのでなく、技術思想が保護される範囲内で応用されることができる。
【図面の簡単な説明】
【００９５】
【図１】従来のプラズマディスプレイパネルの構造を示す図である。
【図２】従来のプラズマディスプレイパネルの画像階調を具現する方法を示す図である。
【図３】従来のプラズマディスプレイパネルの駆動方法による駆動波形を示す図である。
【図４】図３の駆動波形でサステイン期間に供給されるサステインパルスを説明するための図である。
【図５】従来の駆動波形でサステイン期間に供給されるサステインパルスの電圧立上り時間及び電圧立下り時間を説明するための図である。
【図６】本発明の一実施形態に係るプラズマディスプレイ装置の構造を説明するための図である。
【図７】平均画像レベル（APL:Average Picture Level）に対して説明するための図である。
【図８】本発明のプラズマディスプレイ装置の駆動方法の一実施形態を説明するための図である。
【図９】図８の駆動波形で平均画像レベルによるサステインパルスのＬＣ共振形態を説明するための図である。
【図１０】本発明の駆動波形でER-Up time period及びER-Down time periodのうち、いずれか１つだけを平均画像レベルによって調節する方法を説明するための図である。
【図１１】本発明の駆動波形でER-Up time period及びER-Down time periodを平均画像レベルによって調節しながらもサステインパルスのサステイン電圧の維持期間の長さを一定に維持する方法を説明するための図である。
【符号の説明】
【００９６】
１００    前面パネル
１０２    スキャン電極
１０３    サステイン電極
１１０    後面パネル
１１３    アドレス電極
６００    プラズマディスプレイパネル
６０１    サステインパルス制御部
６０２    データ駆動部
６０３    スキャン駆動部
６０４    サステイン駆動部
６０５    駆動電圧発生部
【図４】
2006309247.tif 000004
【図１０】
2006309247.tif 000005
【図１】
2006309247.tif 000006
【図２】
2006309247.tif 000007
【図３】
2006309247.tif 000008
【図５】
2006309247.tif 000009
【図６】
2006309247.tif 000010
【図７】
2006309247.tif 000011
【図８】
2006309247.tif 000012
【図９】
2006309247.tif 000013
【図１１】
2006309247.tif 000014